(57)【要約】【課題】紙、樹脂等のシート材でつくられた安価な立体視ビュアであるにも係わらず、構造的に安定した強固な構造で、且つ観賞時の立体視効果が大きい立体視ビュアを提供する。【解決手段】立体視画像を保持する画像保持部を湾曲面にすることで、立体視ビュア基体の構造が３次元的構造になり、構造的に安定した強固な構造体になる。その上、画像が湾曲面に配置されるので、安価な立体視ビュアであるにも係わらず、あたかも曲面スクリーンのような強い立体視効果が得られる。【選択図】図１
2010243994.tif 000002
【特許請求の範囲】
【請求項１】
立体視を観賞する立体視ビュアにおいて、人間の両眼の視差に基いて制作された少なくとも２枚の立体視画像または前記立体視画像を保持する画像保持部の上辺および下辺の少なくとも一方に有る折線が前記画像保持部を基点にして凹状の曲線で、
収納時には前記凹状曲線の折線を開いて前記立体視画像または前記画像保持部を平坦状態に保ち、立体視観察時には前記凹状曲線の折線がビュア内方に谷折りになることで、前記立体視画像または前記画像保持部がビュア内方に凹面状に湾曲しながら、透視部上に設えた接眼光学系に相対面して前記接眼光学系の焦点位置を所定の位置に保持することを特徴とする折畳み式の立体視ビュア。
【請求項２】
立体視を観賞する立体視ビュアにおいて、人間の両眼の視差に基いて制作された少なくとも２枚の立体視画像または前記立体視画像を保持する画像保持部がビュア内方に凹面状に湾曲している曲面で、透視部上に設えた接眼光学系に相対面して前記接眼光学系の焦点位置を所定の位置に保持することを特徴とする立体視ビュア。
【請求項３】
前記立体視ビュア上部に採光部を設けたことを特徴とする請求項１または請求項２に記載の立体視ビュア。
【請求項４】
立体視画像が印刷あるいは貼着された交換可能立体視カードがビュア装着前は平面であるが装着時は湾曲していると共に、前記交換用可能立体視カードの下辺にくびれ形状を有している前記交換用可能立体視カードを備えたことを特徴とする請求項１乃至請求項３いずれか一つに記載の立体視ビュア。
【請求項５】
観察者視点より観察時の湾曲した前記画像保持部に前記立体視画像を投影することで得られる幾何補正処理を施して、立体視観察時に前記立体視画像が湾曲することによって発生する幾何歪みを低減する処理を施した立体視画像を備えたことを特徴とする請求項１乃至請求項４いずれか一つに記載の立体視ビュア。
【請求項６】
前記接眼レンズ系の焦点位置が、立体視用画像の中心から左立体視用画像の左端辺（右立体視画像の右端辺）までの間の位置に有り、好ましくは左立体視用画像の前記左端辺（右立体視画像の前記右端辺）から１／４の位置にあること、
または、前記接眼レンズ系の焦点位置が、立体視用画像の中心から左立体視用画像の右端辺（右立体視画像の左端辺）までの間の位置に有り、好ましくは左立体視用画像の前記右端辺（右立体視画像の前記左端辺）から１／４の位置にあること、
を特徴とする請求項１乃至請求項５いずれか一つに記載の立体視ビュア。
【請求項７】
前記立体視ビュアを頭部に装着する頭部装着手段を備えたことを特徴とする請求項１乃至請求項６いずれか一つに記載の頭部装着型の立体視ビュア。
【発明の詳細な説明】
【技術分野】
【０００１】  本発明は、立体視を観賞する立体視ビュアに関する。
【背景技術】
【０００２】  従来の立体視用のビュアは、図１３に示すようにカードを開いて一対の接眼レンズ系２ａ、２ｂと人間の両眼の視差に基いて制作された少なくとも２枚の画像３ａ、３ｂとを対向させて、接眼レンズ系２ａ，２ｂから透視することで立体視を観賞するカードまたは冊子折り曲げ式の立体視用ビュアがある。【０００３】  また、図１４に示すように多角形断面の筒状形態を横にした立体視用ビュア基体の相対面に一対の接眼レンズ系２ａ，２ｂと人間の両眼の視差に基いて制作された少なくとも２枚の画像３ａ、３ｂとを保持し、接眼レンズ系２ａ，２ｂから透視することで立体視を観賞するものがある。
【先行技術文献】
【特許文献】
【０００４】
【特許文献１】  特開平６−１１００１６
【０００５】
【発明の概要】
【発明が解決しようとする課題】
【０００６】  しかしながら、図１３に示すビュアにあっては、一方の手で手前の透視部１１を他方の手で奥側の画像保持部１２を持って観賞するので、腕が疲れると同時にビュアが不安定になるという問題があった。【０００７】  あるいは、図１４に示すビュアにあっては、横向きの多角形断面の筒状形態の基体の上部と下部を両手の親指と人差し指で挟んで持つので、断面形状が構造的に不安定になり易い問題があった。更に、透視部１１と画像保持部１２とが上部連接部１３，１４で連接しているので、画像３ａ、３ｂに外光が当たらず暗くて見難いという問題があった。【０００８】  更に、図１３および図１４に示すビュアは立体視観賞時に立体視画像が平面であり、立体視効果が小さいという問題があった。
【課題を解決するための手段】
【０００９】  本発明は上記の目的を達成するために第１の課題解決手段は、立体視ビュアの人間の両眼の視差に基いて制作された少なくとも２枚の立体視画像または前記立体視画像を保持する画像保持部の上辺および下辺ある折線を前記画像保持部を基点にして凹状の曲線にし、収納時には前記凹状の曲線の折り線を開いて前記立体視画像または前記画像保持部を平面状態を保ち、立体視観察時には前記凹状曲線の折線がビュア内方に谷折りになることで、前記立体視画像または前記画像保持部がビュア内方に凹面状に湾曲しながら、略人間の両眼幅離した一対の接眼光学系を設えた透視部に相対面して前記接眼光学系の焦点位置を所定の位置に保持し、前記透視部と前記画像保持部とを、上部を上部保持部で下部を下部保持部でそれぞれ連接する構成で折畳み可能な前記立体視ビュアが３次元的構造になり強固になり観賞し易くなると共に、前記立体視画像が内方の湾曲面になることで曲面スクリーンになる。【００１０】  また、第２の課題解決手段は、上記の手段の収納時に折畳む前記凹状の曲線の折り線を固定にして折畳まない構成にしても良く、その場合は収納用の折線は無く、前記立体視画像または前記画像保持部がビュア内方に凹面状に湾曲し、略人間の両眼幅離した一対の接眼光学系を設えた透視部に相対面して前記接眼光学系の焦点位置を所定の位置に保持する構成で、一体型の３次元的構造になり強固になり観賞し易くなる。【００１１】  また、第３の課題解決手段は、更に前記立体視ビュア上部に採光窓を設けた構成で、前記立体視画像に外光を当てて立体視を見易くする。【００１２】  また、第４の課題解決手段は、上述の立体視ビュアの立体視画像として立体視画像が印刷または貼着された交換可能な立体視カードを用意する。前記立体視カードは装着前は平面であるが、前記立体視ビュアに装着後は曲面になって前記立体視ビュア内側面に収まり安定する。交換可能な立体視カードで多数の立体視画像を観賞できる。【００１３】  また、第５の課題解決手段は、上述のように立体視観賞時に前記立体視画像が凹状の二次曲面になる曲面スクリーンのような強い立体視効果が得られるが前記立体視画像に幾何歪みが発生する弊害が出る。そこで立体視観賞時の前記立体視画像の凹状の二次曲面に合わせて前記立体視画像に幾何補正を施す処理をする。前記処理で前記立体視画像が湾曲面になることによって新たに発生する歪みを低減して、歪みの少ない立体視を観賞できる。【００１４】  また、第６の課題解決手段は、上述のように立体視観賞時に前記立体視画像が凹状の二次曲面になると前記立体視画像に奥行き差が生じる。接眼レンズ系の焦点位置を左右それぞれの立体視画像の中心に焦点距離を合わせると、安価な単凸レンズでは立体視時に中心部のみに焦点が合い周辺部がボケている立体像を観賞する。
そこで、前記接眼レンズ系の焦点位置が、立体視用画像の中心から左立体視用画像の左端辺（右立体視画像の右端辺）までの間の位置に有り、好ましくは左立体視用画像の前記左端辺（右立体視画像の前記右端辺）から１／４の位置に合わせる。または、前記接眼レンズ系の焦点位置が、立体視用画像の中心から左立体視用画像の右端辺（右立体視画像の左端辺）までの間の位置に有り、好ましくは左立体視用画像の前記右端辺（右立体視画像の前記左端辺）から１／４の位置に合わせる。この構成で立体視観賞時にピントが合って見える領域が広くなり、立体像が広く感じられる効果がある。【００１５】  また、第７の課題解決手段は、前記立体視ビュアを頭部に装着する手段を設けて頭部装着型の立体視ビュアとすることが可能となる。
【発明の効果】
【００１６】  本発明によれば、収納時に平坦に収納可能な折畳式立体視ビュアに係わらず、立体視観賞時に立体視ビュアの透視部１１または画像保持部１２の少なくとも一方が曲面になることで前記立体視ビュア基体が３次元的な頑丈な構造になる効果と同時に、画像保持部１２を曲面とすることで画像３ａ、３ｂが曲面になり、曲面スクリーンのような大きな立体視効果を奏する。【００１７】  更に、立体視ビュアを折畳式にしないで３次元的な形状を維持すれば剛性が低下しない効果奏する。【００１８】  更に、立体視ビュア基体上部に採光部を設けると前記立体視画像が観賞し易くなる効果を奏する。その上、前記立体視ビュア基体が３次元的な頑丈な構造であるので、採光部が開口していても力学的な強度が低下しない。【００１９】  更に、前記立体視画像を交換可能な立体視カードにすると、多数の立体視画像が観賞できる効果を奏する。【００２０】  更に、前記画像３ａ、３ｂが立体視観賞時に曲面になるので幾何学的な歪みが発生するが、前記画像３ａ、３ｂを立体視観賞時の視点から最適に見えるように歪み補正を施すことで不自然な歪みが無くなり、更なる曲面スクリーンによる大きな立体効果を奏する。【００２１】  更に、下述する所定の位置に接眼レンズ系２ａ、２ｂの焦点距離を合わせると、低価格の凸レンズに係わらずピントが合って見える領域が広い立体視効果を奏する。【００２２】  更に、立体視ビュア基体を頭部装着手段で頭部に装着すると両手を自由に使用できる効果を奏する。
【図面の簡単な説明】
【００２３】
【図１】  本発明の実施例１の立体視ビュアを示す斜視図である。
【図２】  同上の立体視ビュアを示す展開図である。
【図３】  同上の立体視ビュアの折畳んだ状態を示す説明図である。
【図４】  同上の立体視ビュア実施例１の変形例を示す断面図である。
【図５】  本発明の実施例２の立体視ビュアを示す斜視図である。
【図６】  本発明の実施例３の立体視ビュアを示す斜視図である。
【図７】  同上の立体視ビュアを示す展開図である。
【図８】  同上の立体視ビュアの折畳んだ状態を示す説明図である。
【図９】  同上の立体視ビュア実施例３の変形例を示す説明図である。
【図１０】  本発明の実施例の立体視画像の説明図である。
【図１１】  本発明の実施例の立体視画像の説明図である。
【図１２】  本発明の実施例の光学系の説明図である。
【図１３】  従来の立体視ビュアを示す斜視図である。
【図１４】  従来の立体視ビュアを示す斜視図である。
【発明を実施するための形態】
【００２４】  以下に本発明の一実施形態を図面に基いて説明する
【実施例１】
【００２５】  図１乃至図３は本発明の実施例１の形態に係わる立体視ビュアーを示している。図１は立体視ビュア第１実施例の斜視図であって、水平方向に人間の両眼幅離してレンズを覗くことが可能となるように設けられたレンズ穴に所定の焦点距離を有する接眼レンズ系２ａ、２ｂ（２枚の凸レンズ）が貼着された観察者側に湾曲した透視部１１と、人間の両眼の視差に基いて制作された少なくとも２枚の立体視用画像３ａ、３ｂが印刷あるいは貼着されたビュア内方に湾曲した画像保持部１２とが相対面するように、上部を採光窓部５を有する上部連接部１３、１４で連接し、下部を下部連接部１５、１６で連接した構成である。前記透視部１１および下部連接部１５には観察者が観賞時に鼻を入れる鼻窓４が設けられている。立体視用画像３ａ、３ｂは画像保持部１２を湾曲させると湾曲する。なお、採光窓部５は開口穴でも、光が透過する透明板でも良い。また、前記接眼レンズ系２ａ、２ｂは合わせレンズでも良く、より高級なプリズム体でも良い。【００２６】  図２は立体視ビュア第１実施例の内側を見ている展開図で、透視部１１と上部連接部１３との連接線（谷折り線）２３（糊代６を透視部１１に貼り付けるので貼り付け後連接線となる）と、透視部１１と下部連接部１５とが接する連接線（谷折り線）２４ａ、２４ｂとは、それぞれ前記透視部１１を基点とする凸状の曲線である。
画像保持部１２と上部連接部１４とが接する連接線（谷折り線）２５と、画像保持部１２と下部連接部１６とが接する連接線（谷折り線）２６とは、それぞれ画像保持部１２を基点とする凹状の曲線である。なお、以下の説明において、「谷折り」とは立体視ビュア１の内側が凹となる折り曲げを意味する。なお、糊代６は破線２３ｂを谷折りにして連接線２３と重なるように透視部１１に接着する。また、前記連接線（谷折り線）２４ａ、２４ｂは、それぞれ前記透視部１１を基点とする凹状の曲線にして、前記透視部１１を観察者側に凸状に湾曲する曲面にする形状にしても良い。【００２７】  図３は立体視ビュア第１実施例を折畳んだ状態で、透視部１１を丁度図２の裏側から見ている。上部連接部１３と上部連接部１４とが接する連接線２１ａ、２１ｂ及び、下部連接部１５と下部連接部１６とが接する連接線２２は図３に示すようにそれぞれ谷折りして立体視ビュア１を平坦に折畳む。
立体視ビュア実施例１を使用するときは、前記連接線２１ａ、２１ｂをそれぞれ両手の人差し指で、前記連接線２２を両手の親指で挟むように押えて図１で示した状態にする。折線２３、２４、２５、２６が曲線であるので、観察時に前記透視部１１および前記画像保持部１２が観察者側を基点にして凹状の２次曲面に成って相対面する。前記透視部１１および前記画像保持部１２のそれぞれの上部を前記上部連接部１３、１４で、それぞれの下部を前記下部連接部１５、１６で連接して立体視ビュア全体が強固で安定した立体的形状となると共に、前記接眼レンズ系２ａ、２ｂの焦点位置を所定の位置に保持する。透視部１１に設られた接眼レンズ系２ａ、２ｂを透視して、相対面する画像保持部１２上の立体視用画像３ａ、３ｂを観賞する。材質は紙、樹脂等のシート材が適しているが、これに限定されるものではない。更に、立体視用画像３ａ、３ｂは画像保持部１２の曲面に合わせて幾何補正をすると立体視効果が増すことができる。なお、本出願書類に記された立体視用画像は湾曲するフレキシブルディスプレイに表示した画像でも良い。【００２８】  図４は実施例１の変形例である。接眼レンズ系２ａの位置で切った断面図である。図１で示した前記も画像保持部１２の観察者側に、開口された画像保持部額縁９が隙間をあけて接着されている。前記隙間には取り替え可能な立体視用画像カード８（図９に斜視図で示されている）を差し込むことができる。観察者は透視部１１上の接眼レンズ２ａを透視して、画像保持部額縁９の開口部越しに立体視画像３ａを観賞する。本実施例１変形例は画像保持部１２に立体視用画像カード８を挿入して保持する画像保持部額縁９とそれで形成された隙間を備えた立体視ビュアである。
【実施例２】
【００２９】  図５は本発明の実施例２の形態に係わる立体視ビュアを示している斜視図である。立体視ビュア第２実施例は図１で説明した立体視ビュア第１実施例の収納時に折畳む手段である折線を折った状態に常時固定にした構成である。従って、観察者側に常に湾曲した前記透視部１１と前記画像保持部１２とが相対面するように、上部を上部連接部１３下部を下部連接部１５で連接し、上部連接部１３には採光窓５が設けられている構成である。上部連接部１３は上部連接部１４を含んで一体になり、下部連接部１５は下部連接部１６を含んで一体になっている。第１実施例のような折畳み式の利便性は失われるが、樹脂等で一体で製造して、より強靭な立体視ビュア基体を構成できる。折畳んで平坦にする必要がないので前記画像保持部１２の上辺または下辺の少なくとも一方は前記画像保持部１２の垂直方向にくびれた曲線でなくても良いが、ただし前記画像保持部１２は観察者側に湾曲した曲面である。【００３０】  実施例２の変形例について説明する。図５に示した掛止部１０は実施例２の変形例に備わった部材で、頭に装着するときに耳に掛けるつるである。掛止部１０はベルトや帽子などの頭部に装着する装置でも良い。手で持たなくても立体視が観賞できる効果がある。このとき本発明の立体視ビュアが強固な構造であることが必須となる。第１実施例の折畳式の立体視ビュアに備えても良い。本発明の他の態様の立体視ビュアに頭部装着手段を備えることで頭部に装着することでヘッドマウントディスプレイになる。
【実施例３】
【００３１】  図６乃至図８は本発明の実施例３の形態に係わる立体視ビュアーを示している。図６の斜視図で示した立体視ビュアは、図１で説明したものと同様の所定の焦点距離を有する接眼レンズ系２ａ、２ｂ（２枚の凸レンズ）が貼着された観察者側に湾曲した透視部１１と、立体視用画像３ａ、３ｂを印刷あるいは貼着された観察者側に湾曲した画像保持部１２とが相対面するように、下部を下部連接部１５、１６で連接したものであり、前記透視部１１と画像保持部１２とを連接し相互の配置関係を保つために、左側面連接部１７ａ、１７ｂが透視部１１の左側辺２９ａと画像保持部１２の左側辺２７ａとの間隙に保持され、右側面連接部１８ａ、１８ｂが透視部１１の右側辺２９ｂと画像保持部１２の右側辺２７ｂとの間隙に保持されている。前記透視部１１および下部連接部１５には観察者が観賞時に鼻を入れる鼻窓４が設けられている。また前記透視部１１の上部には観察時に谷折りして前記透視部１１が観察者側を凹状にして湾曲するように透視部湾曲保持部７が連接されている。【００３２】  図７は実施例３の立体視ビュア第３実施例の内側を見ている展開図で、透視部１１と透視部湾曲保持部７との連接線（谷折り線）２８と、透視部１１と下部連接部１５とが接する連接線（谷折り線）２４ａ、２４ｂとは、それぞれ透視部１１を基点として凸状の曲線である。画像保持部１２と下部連接部１６とが接する連接線（谷折り線）２６は画像保持部１２を基点として凹状の曲線である。なお、図６に示した左側面連接部１７ｂに連接した糊代１７ｃは左側面連接部１７ａの内側に接着し、右側面連接部１８ｂに連接した糊代１８ｃは左側面連接部１８ａの内側に接着する。【００３３】  図８で示すようにビュア収納時には前記左側面連接部１７ａ、１７ｂの中間と右側面連接部１８ａ、１８ｂの中間とで、それぞれ内方に二つ折りされ、下部連接部１５と下部連接部１６とが接する連接線２２は図８に示すように谷折りして平坦に折畳む。
立体視ビュア第３実施例を使用するときは、図６で示すように二つ折りされた前記左側面連接部１７ａ、１７ｂと右側面連接部１８ａ、１８ｂとを両手の人差し指で開き、谷折り状の前記連接線２２を両手の親指で押し上げて、前記左側面連接部１７ａ、１７ｂと右側面連接部１８ａ、１８ｂとの間に配置することで透視部１１上の接眼レンズ系２ａ、２ｂと画像保持部１２上の立体視用画像３ａ、３ｂとの間隔を保持でき、レンズの焦点位置を所定の位置に保持することができる。折線２８、２４ａ、２４ｂが透視部１１を基点として凸状曲線で、折線２６が画像保持部１２を基点として凹状の曲線であるので、観察時に立体視ビュア実施例３を図６の状態にしたときに透視部１１および画像保持部１２が観察者側に湾曲した２次曲面に成り、本実施例の立体視ビュア全体が強固で安定した立体的形状となる。この状態で透視部１１に設られた接眼レンズ系２ａ、２ｂを透視して、相対面する画像保持部１２上の立体視用画像３ａ、３ｂを観賞する。
更に、立体視用画像３ａ、３ｂは画像保持部１２の曲面に合わせて幾何補正をすると立体視効果が増すことができる。【００３４】  図９は実施例３の変形例を示す。実施例３の立体視ビュアの画像保持部１２上の立体視用画像３ａ、３ｂは印刷あるいは貼着されているが一種類の立体視しか観賞できない。そこで立体視用画像カード８を別に用意して、湾曲した画像保持部１２にはめ込むように挿入する。このとき前記立体視用画像カード８は湾曲して左側面連接部１７ｂと右側面連接部１８ｂとの間に挟まるが、平面に戻ろうとする反力で前記左側面連接部１７ｂと前記右側面連接部１８ｂを押すことで安定して固定する。前記立体視用画像カード８の下部は中心が凹んでいるので更に安定して収まる。その上、前記左側面連接部１７ｂと前記右側面連接部１８ｂとにコの字型の切り込みを縦に入れてコの字型の画像挟持部２０ａ、２０ｂを内方に折り曲げて前記カード８が飛び出さないように押える。前記立体視用画像カード８は立体視ビュアに装着する前は平面であるが装着後には湾曲する。前記立体視用画像カード８を立体視ビュアと別に補充用カードとして用意することで１つのビュアで多数の立体視画像を観賞できる利点がある。前記立体視用画像カード８の下部の凹みは既存の製品のカードが殆ど矩形であったので差別化する効果もある。本立体視ビュア専用とすることで、規格の異なる立体視画像を誤って見ることによって発生する眼への悪影響を未然に防止することが可能となる。図４で示した前記立体視用画像カード８も同様である。
【実施例４】
【００３５】  図１０および図１１で本発明の実施例４の形態を説明する。図１で示したように本立体視ビュアは観賞時には立体視用画像３ａ、３ｂが観察者側に湾曲している。このとき平面状態で最適化した立体視画像は幾何学的な歪みが発生する。図１０は幾何補正前である。従って、立体視用画像３ａ、３ｂを湾曲した状態で観察するときに最適に見えるように幾何補正して不自然な歪みの少ない立体視画像に補正する。図１１は幾何補正後の画像３ａｂ、３ｂｂである。なお、幾何補正後の前記画像３ａｂ、３ｂｂを制作する他の方法は、前記画像３ａ、３ｂをそれぞれの観察視点位置より観察時の前記画像保持部１２に投影する処理をすることで制作できる。このとき接眼レンズ系２ａ、２ｂのレンズ歪みを考慮した補正をするとより更に良い。
【実施例５】
【００３６】  図１２で本発明の実施例５の光学系を説明する。記号Ａは立体視画像の横幅である。点３０ａは立体視画像３ａの左端部、点３１ａは前記画像３ａの中心、点３２ａは前記画像３ａの右端部、点３３ａは前記画像３ａの左端部より１／４の位置にある点、点３４ａは前記画像３ａの右端部より１／４の位置にある点である。同様に、点３０ｂは立体視画像３ｂの左端部、点３１ｂは前記画像３ｂの中心、点３２ｂは前記画像３ｂの右端部、点３３ｂは前記画像３ｂの左端部より１／４の位置にある点、点３４ｂは前記画像３ｂの右端部より１／４の位置にある点である。
立体視観賞では左眼と右眼では対応する点をそれぞれ同時に見て立体視する。すなわち、左眼で前記画像３ａ上の点３０ａを見るとき右眼は画像３ｂ上の点３０ｂ近傍に在る対応点を見る。左眼で前記画像３ａ上の点３２ａを見るとき右眼は画像３ｂ上の点３２ｂ近傍に在る対応点を見る。
本発明の立体視ビュアは観賞時に前記画像３ａおよび前記画像３ｂが湾曲して斜めになり、観察画像の奧行き方向に距離差が発生するのが特徴である。実施例１、実施例２および実施例３の説明で立体視ビュアの接眼レンズ系２ａ、２ｂ（２枚の凸レンズ）が所定の焦点距離を有すると記したが、奥行き方向に距離差がある画像を見る場合、焦点距離を合わせる位置は常識的には図１１で示した画像３ａの中心部に焦点を合わせたＬ１の値である。
前記画像３ａ上の点３１ａおよび前記画像３ｂ上の点３１ｂに接眼レンズ系２ａ、２ｂの焦点距離を合わせると、左眼で点３１ａ近傍と右眼で点３１ｂ近傍との対応点をそれぞれの眼で見る立体視観賞時では立体像にピントが合って見える。左眼で点３０ａ近傍と右眼で点３０ｂ近傍との対応点を立体視するときは双方のピントが双方ボケて見えるので立体像はボケて見える。左眼で点３２ａ近傍と右眼で点３２ｂ近傍の対応点を見て立体視するときは双方のピントがボケて見えるので立体像はボケて見える。従って、画像の中心部のみにピントが合った左右両端がボケた立体像となる。安価な焦点距離の小さい球面凸レンズでは特にこの傾向が強い。このような弊害現象が起こるので、今まで単凸レンズを備えた安価な立体視ビュアは立体視画像に奥行き方向の距離差を付けなかった。【００３７】  しかし、立体視では一対の立体視画像の一方の画像にピントが合い、他方の画像がボケている場合、立体視観賞時に立体像にピントが合って見えることが知られている。
立体視用画像３ａ、３ｂ上のそれぞれの点３３ａ、３３ｂに接眼光学系２ａ、２ｂの焦点距離を合わせると、左眼で点３０ａ近傍と右眼で点３０ｂ近傍の対応点を立体視するときは点３０ａ近傍ではピントが比較的合って見えるが、右眼で見る点３０ｂ近傍ではボケて見える。従って立体視観賞時には、上記理由でピントが比較的合った立体像が見える。また、左眼で点３２ａ近傍と右眼で点３２ｂ近傍の対応点を立体視するときは、点３２ａ近傍ではピントがボケて見えるが、右眼で見る点３２ｂ近傍ではがピントが比較的合って見える。従って立体視観賞時には上記理由でピントが比較的合った立体像が見える。
左接眼レンズ系２ａは前記画像３ａの左端部から中心の位置までの間に、右接眼レンズ系２ｂは前記画像３ｂの右端部から中心の位置までの間心に焦点距離を合わせる。より好ましくは立体視用画像３ａ、３ｂのそれぞれの外側から１／４の位置に在る点３３ａ、点３４ｂ（Ｌ２の距離）近傍に前記接眼レンズ系２ａ、２ｂの焦点距離を合わせると、立体視観賞時にピントが合って見える領域が広くなり、立体像が広く感じられる効果がある。
同様に、前記左接眼レンズ系２ａは前記画像３ａの右端部から中心の位置までの間に、前記右接眼レンズ系２ｂは前記画像３ｂの右端部から中心の位置までの間に焦点距離を合わせる。より好ましくは立体視用画像３ａ、３ｂのそれぞれの内側から１／４の位置に在る点３４ａ、点３３ｂ（Ｌ３の距離）近傍に前記接眼レンズ系２ａ、２ｂの焦点距離を合わせると、立体視観賞時にピントが合って見える領域が広くなり、立体像が広く感じられる効果がある。安価な球面単凸レンズでは特にこの作用・効果が有効に働く。
【符号の説明】
【００３８】  １              立体視ビュア
２ａ、２ｂ      接眼レンズ系
３ａ、３ｂ      立体視画像
３ａｂ、３ｂｂ  幾何補正後の立体視画像
４              鼻窓
５              採光窓
６              糊代
７              透視部湾曲保持部
８              交換可能立体視カード
９              透視部額縁
１０              掛止部（頭部装着用）
１１              透視部
１２              画像保持部
１３、１４        上部保持部
１５、１６        下部保持部
１７ａ、１７ｂ    左側保持部
１８ａ、１８ｂ    右側保持部
２０ａ、２０ｂ    画像挟持部
２１ａ、２１ｂ、２２、    折り線（立体視ビュア収納時の折線）
２５、２６                折り線（画像保持部１２を基点として凹状曲線）
２３ｂ、２４ａ、２４ｂ、２８    折り線
２７ａ、２７ｂ、２９ａ、２９ｂ  折り線
３０ａ、３１ａ、３２ａ、３３ａ、３４ａ    立体視画像（左眼用）３ａ上の点
３０ｂ、３１ｂ、３２ｂ、３３ｂ、３４ｂ    立体視画像（右眼用）３ｂ上の点
Ａ                    立体視画像の横幅
Ｌ１、Ｌ２、Ｌ３      接眼レンズ系の焦点位置までの距離
【図１】
2010243994.tif 000003
【図２】
2010243994.tif 000004
【図３】
2010243994.tif 000005
【図４】
2010243994.tif 000006
【図５】
2010243994.tif 000007
【図６】
2010243994.tif 000008
【図７】
2010243994.tif 000009
【図８】
2010243994.tif 000010
【図９】
2010243994.tif 000011
【図１０】
2010243994.tif 000012
【図１１】
2010243994.tif 000013
【図１２】
2010243994.tif 000014
【図１３】
2010243994.tif 000015
【図１４】
2010243994.tif 000016